(57)【要約】      （修正有）【課題】他の部品に組み合わせて遊技機に確実に応用のできる表示パネルおよび表示装置を提供する。【解決手段】表示パネルは、アレイ基板２１０と、対向基板と、少なくとも１つの封止材２６０とを含んでいる。アレイ基板２１０は、第１貫通孔２１２を有するとともに、複数の画素セル２１４と、複数の走査線２１８と、複数のデータ線２１６とを含んでいる。走査線２１８は、画素セル２１４に電気的に接続している。データ線２１６は、走査線２１８と交差するとともに、対応する画素セル２１４に電気的に接続している。対向基板は、アレイ基板２１０に対向するように設置されるとともに第２貫通孔２５２を有している。封止材２６０は、アレイ基板２１０と対向基板との間に介在し、第３貫通孔２６２を有している。第１貫通孔２１２と、第２貫通孔２５２と、第３貫通孔２６２とにより、開口が形成されている。【選択図】図３
2014134766.tif 000002
【特許請求の範囲】
【請求項１】
表示パネルであって、
第１貫通孔を有し、複数の画素セルと、前記複数の画素セルに電気的に接続している複数の走査線と、前記複数の走査線と交差するとともに、対応する前記複数の画素セルに電気的に接続している複数のデータ線とを含むアレイ基板と、
前記アレイ基板に対向するように設置されるとともに、第２貫通孔を有する対向基板と、
前記アレイ基板と前記対向基板との間に介在し、第３貫通孔を有する少なくとも１つの封止材と、を含み、
前記第１貫通孔と、前記第２貫通孔と、前記第３貫通孔とにより、開口が形成されることを特徴とする表示パネル。
【請求項２】
前記アレイ基板は、配線領域をさらに有し、
前記配線領域に位置する前記複数の走査線と前記複数のデータ線とは、前記第１貫通孔を迂回することを特徴とする請求項１に記載の表示パネル。
【請求項３】
前記配線領域の幅は、２０ｍｍであることを特徴とする請求項２に記載の表示パネル。
【請求項４】
前記対向基板は、少なくとも１層の遮光層をさらに含み、
前記配線領域の前記対向基板に対する垂直投影は、前記遮光層とほぼ重なり、
前記封止材の前記対向基板に対する垂直投影は、前記遮光層と少なくとも一部重なることを特徴とする請求項２に記載の表示パネル。
【請求項５】
前記遮光層の幅は、２０ｍｍで、前記第２貫通孔と前記遮光層とにより辺長が１２０ｍｍの方形が形成されることを特徴とする請求項４に記載の表示パネル。
【請求項６】
前記対向基板は、複数のカラーフィルタ層を含み、
前記複数のカラーフィルタ層の前記アレイ基板に対する垂直投影は、それぞれ、前記複数の画素セルとほぼ重なることを特徴とする請求項１に記載の表示パネル。
【請求項７】
前記第１貫通孔、前記第２貫通孔、および前記第３貫通孔の数は、いずれも複数であることを特徴とする請求項１に記載の表示パネル。
【請求項８】
前記第１貫通孔は、辺長が８０ｍｍの方形であり、
前記第２貫通孔は、辺長が８０ｍｍの方形であり、
前記第３貫通孔は、辺長が１００ｍｍの方形であることを特徴とする請求項１に記載の表示パネル。
【請求項９】
前記複数の画素セルは、前記アレイ基板の表示領域内に位置し、
前記表示パネルは、前記アレイ基板と前記対向基板との間に介在するシーラントをさらに含み、
前記シーラントは、封止領域を囲み、
前記封止領域の前記アレイ基板に対する垂直投影は、前記表示領域とほぼ重なることを特徴とする請求項１に記載の表示パネル。
【請求項１０】
前記アレイ基板と前記対向基板との間に介在する表示媒体をさらに含むことを特徴とする請求項１に記載の表示パネル。
【請求項１１】
表示装置であって、
表示パネルと、表示機構とを含み、
前記表示パネルは、
第１貫通孔を有し、複数の画素セルと、前記複数の画素セルに電気的に接続している複数の走査線と、前記複数の走査線と交差するとともに、対応する前記複数の画素セルに電気的に接続している複数のデータ線と、を含むアレイ基板と、
前記アレイ基板に対向するように設置されるとともに、第２貫通孔を有する対向基板と、
前記アレイ基板と前記対向基板との間に介在し、第３貫通孔を有する少なくとも１つの封止材と、を含み、
前記第１貫通孔と、前記第２貫通孔と、前記第３貫通孔とにより、開口が形成され、
前記表示機構は、少なくとも一部が前記開口によって露出される少なくとも１つの表示部材を含むことを特徴とする表示装置。
【請求項１２】
前記表示部材は、リールであることを特徴とする請求項１１に記載の表示装置。
【請求項１３】
表示装置であって、
第１表示領域と第２表示領域とを有する表示パネルと、
前記表示パネルに対して設置され、前記第２表示領域によって露出されるとともに前記第１表示領域と重ならない、少なくとも１つの表示部材を含む表示機構と、を含むことを特徴とする表示装置。
【請求項１４】
前記表示パネルは、
複数の画素セルと、前記複数の画素セルに電気的に接続している複数の走査線と、前記複数の走査線と交差するとともに、対応する前記複数の画素セルに電気的に接続している複数のデータ線とを含むアレイ基板と、
前記アレイ基板に対向するように設置される対向基板と、
前記アレイ基板と前記対向基板との間に介在し、前記第２表示領域を定義する少なくとも１つの封止材と、を含むことを特徴とする請求項１３に記載の表示装置。
【請求項１５】
前記表示パネルは、前記アレイ基板と前記対向基板との間に介在する表示媒体をさらに含むことを特徴とする請求項１４に記載の表示装置。
【請求項１６】
前記アレイ基板には、第１貫通孔を有し、
前記対向基板には、第２貫通孔を有し、
前記第１貫通孔と前記第２貫通孔とは、共に前記第２表示領域内に位置し、
前記第１貫通孔の前記対向基板に対する垂直投影は、前記第２貫通孔と少なくとも一部重なることを特徴とする請求項１４に記載の表示装置。
【請求項１７】
前記表示部材は、リールであることを特徴とする請求項１３に記載の表示装置。
【請求項１８】
前記表示機構は、前記リールを駆動するための回動機構をさらに含むことを特徴とする請求項１７に記載の表示装置。
【請求項１９】
前記表示パネルは、液晶表示パネル、電界発光表示パネル、エレクトロウェッティング表示パネル、または電気泳動表示パネルであることを特徴とする請求項１３に記載の表示装置。
【発明の詳細な説明】
【技術分野】
【０００１】
本発明は、表示パネルに関するものである。
【背景技術】
【０００２】
表示パネル業界が成熟化するにつれて、表示パネルは、多様な表示画像を提供するように、様々な製品に用いられるようになった。しかしながら、表示パネルを組み合わせた表示装置において、例えば、表示パネルを遊技機に応用する際に、その表示パネルは、表示装置の外形によって特殊な形状に設計される必要があるかもしれない。
【先行技術文献】
【特許文献】
【０００３】
【特許文献１】米国特許第８０７０１１７号明細書
【特許文献２】米国特許公開第２０１１／０２８５９２５号明細書
【特許文献３】台湾実用新案第５３１０１８号明細書
【発明の概要】
【発明が解決しようとする課題】
【０００４】
詳細には、表示パネルの表示領域が、画像の表示に用いられる。該表示領域は、複数の画素セルからなり、画像信号は、表示領域における、互いに交差する走査線とデータ線とを介して各画素セルまで伝送されることにより、画像を確実に表示させる。表示パネルを他の部品に組み合わせて遊技機に応用することが今後の研究課題とされている。
【課題を解決するための手段】
【０００５】
本発明の一態様に係る表示パネルは、アレイ基板と、対向基板と、少なくとも１つの封止材とを含んでいる。アレイ基板は、第１貫通孔を有するとともに、複数の画素セルと、複数の走査線と、複数のデータ線とを含んでいる。走査線は、画素セルに電気的に接続している。データ線は、走査線と交差するとともに、対応する画素セルに電気的に接続している。対向基板は、アレイ基板に対向するように設置されるとともに第２貫通孔を有している。封止材は、アレイ基板と対向基板との間に介在し、第３貫通孔を有している。第１貫通孔と、第２貫通孔と、第３貫通孔とにより、開口が形成されている。
【０００６】
一つ以上の実施形態において、アレイ基板は、配線領域をさらに有する。配線領域内に位置する走査線およびデータ線は、第１貫通孔を迂回する。
【０００７】
一つ以上の実施形態において、配線領域の幅は２０ｍｍである。
【０００８】
一つ以上の実施形態において、前記対向基板は、少なくとも１層の遮光層をさらに含む。配線領域の対向基板に対する垂直投影が、遮光層とほぼ重なり、封止材の対向基板に対する垂直投影が、遮光層と少なくとも一部重なる。
【０００９】
一つ以上の実施形態において、遮光層の幅は、２０ｍｍである。第２貫通孔と遮光層とにより、辺長が１２０ｍｍの方形が形成される。
【００１０】
一つ以上の実施形態において、対向基板は、複数のカラーフィルタ層を含む。カラーフィルタ層のアレイ基板に対する垂直投影は、それぞれ画素セルとほぼ重なる。
【００１１】
一つ以上の実施形態において、第１貫通孔、第２貫通孔、および第３貫通孔の数は、いずれも複数である。
【００１２】
一つ以上の実施形態において、第１貫通孔は、辺長が８０ｍｍの方形である。第２貫通孔は、辺長が８０ｍｍの方形である。第３貫通孔は、辺長が１００ｍｍの方形である。
【００１３】
一つ以上の実施形態において、画素セルは、アレイ基板の表示領域内に位置する。表示パネルは、アレイ基板と対向基板との間に介在するシーラントをさらに含む。シーラントは、封止領域を囲み、かつ封止領域のアレイ基板に対する垂直投影が表示領域とほぼ重なる。
【００１４】
一つ以上の実施形態において、前記表示パネルは、アレイ基板と対向基板との間に介在する表示媒体をさらに含む。
【００１５】
本発明の別の態様に係る表示装置は、表示パネルと、表示機構とを含む。表示パネルは、アレイ基板と、対向基板と、少なくとも１つの封止材とを含む。アレイ基板は、第１貫通孔を有するとともに、複数の画素セルと、複数の走査線と、複数のデータ線とを含む。走査線は、画素セルに電気的に接続している。データ線は、走査線と交差するとともに、対応する画素セルに電気的に接続している。対向基板は、アレイ基板に対向するように設置されるとともに第２貫通孔を有する。封止材は、アレイ基板と対向基板との間に介在するとともに第３貫通孔を有する。第１貫通孔と、第２貫通孔と、第３貫通孔とにより、開口が形成されている。表示機構は、少なくとも１つの表示部材を含む。表示部材の少なくとも一部は、開口によって露出される。
【００１６】
一つ以上の実施形態において、前記表示部材は、リールである。
【００１７】
本発明の他の態様に係る表示装置は、表示パネルと、表示機構とを含む。表示パネルは、第１表示領域と、第２表示領域とを有する。表示機構は、表示パネルに対して設置される。表示機構は、第２表示領域によって露出される少なくとも１つの表示部材を含み、かつ表示部材が第１表示領域と重ならない。
【００１８】
一つ以上の実施形態において、表示パネルは、アレイ基板と、対向基板と、少なくとも１つの封止材とを含む。アレイ基板は、複数の画素セルと、複数の走査線と、複数のデータ線とを含む。走査線は、画素セルに電気的に接続している。データ線は、走査線と交差するとともに、対応する画素セルに電気的に接続している。対向基板は、アレイ基板に対向するように設置される。封止材は、アレイ基板と対向基板との間に介在するとともに第２表示領域を定義する。
【００１９】
一つ以上の実施形態において、表示パネルは、アレイ基板と対向基板との間に介在する表示媒体をさらに含む。
【００２０】
一つ以上の実施形態において、アレイ基板は、第１貫通孔を有し、対向基板は、第２貫通孔を有する。第１貫通孔と第２貫通孔とは、共に第２表示領域内に位置し、かつ第１貫通孔の対向基板に対する垂直投影が第２貫通孔と少なくとも一部重なる。
【００２１】
一つ以上の実施形態において、表示機構は、リールを駆動するための回動機構をさらに含む。
【００２２】
一つ以上の実施形態において、表示パネルは、液晶表示パネル、電界発光表示パネル、エレクトロウェッティング表示パネル、または電気泳動表示パネルである。
【発明の効果】
【００２３】
本発明によれば、表示パネルを他の部品に組み合わせて遊技機に確実に応用することができる。
【図面の簡単な説明】
【００２４】
【図１】本発明の一実施形態に係る表示装置を示す概略図である。
【図２】図１の表示装置を示す分解図である。
【図３】図１の表示パネルを示す概略上視図である。
【図４】図３のＡ−Ａ線に沿う一実施形態を示す断面図である。
【図５Ａ】図３のアレイ基板を示す上視図である。
【図５Ｂ】図５Ａの領域Ｍを示す拡大概略図である。
【図６】図５Ａの領域Ｐを示す拡大概略図である。
【図７】図３のＡ−Ａ線に沿う他の実施形態を示す断面図である。
【図８】本発明の別の実施形態のアレイ基板を示す上視図である。
【図９】本発明の他の実施形態のアレイ基板を示す上視図である。
【図１０】本発明のさらに他の実施形態のアレイ基板を示す上視図である。
【発明を実施するための形態】
【００２５】
以下、図面で本発明の複数の実施形態を開示し、明確に説明するために、実務上の詳細の多くを、下記で説明する。しかし、これら実務上の詳細は、決して本発明を限定するものではないことを了解すべきである。即ち、本発明の実施形態の一部において、これら実務上の詳細は必要なものではない。なお、図面を簡略化するために、従来から慣用されている構造と素子を、図面で簡単に示している。
【００２６】
図１と図２を同時に参照する。図１は、本発明の一実施形態に係る表示装置１０を示す概略図であり、図２は、図１の表示装置１０を示す分解図である。表示装置１０は、表示機構１００と表示パネル２００とを含んでいる。表示パネル２００は、第１表示領域２０２と第２表示領域２０４とを有している。本実施例において、第２表示領域２０４の数は、例えば、３つである。第１表示領域２０２は、第２表示領域２０４と重なっていない。表示機構１００は、表示パネル２００に対して設置され、例えば、表示パネル２００の後方または下方に位置している。表示機構１００は、図柄を有する、少なくとも１つの表示部材１１０を含んでいる。表示部材１１０は、第２表示領域２０４によって露出されるとともに、例えば、第１表示領域２０２と重ならないようになっている。そうすることで、第１表示領域２０２と第２表示領域２０４には、それぞれ、画像と、表示部材１１０における図柄を表示することができる。第２表示領域２０４の存在によって、第１表示領域２０２において表示異常が生じることはない。例えば、第１表示領域２０２と第２表示領域２０４には、それぞれ、独立した画像と図柄を表示している。
【００２７】
表示装置１０は、例えば、遊技機であり、本実施形態においてスロットマシンを例として、その表示部材１１０は、例えば、リールである。リールの外壁には、異なる図柄を有している。これら図柄は、リールの回動により表示パネル２００の第２表示領域２０４内に表示され、リールが第１表示領域２０２と重なっていない。本実施形態において、表示パネル２００の第２表示領域２０４が開口であってもよいため、リールの一部は、開口によって露出されることができ、図柄の立体感を増加させるとともに、表示装置１０と操作者の間の距離感を縮めることもできる。また、一つ以上の実施形態において、操作者は表示部材１１０を見ることができるように、第２表示領域２０４は、透明ガラスまたはプラスチックでもあってもよいが、本発明はこれに限定されない。一方、表示パネル２００の第１表示領域２０２には、遊技結果（例えば、ゲームクリアもしくは失敗）または待機期間によってそれぞれ異なる画像を表示することで、表示装置１０と操作者の間の連動性を高める。表示装置１０は、リールを駆動するための回動機構１２０、例えば、レバーをさらに含んでもよい。そうすることで、リールの外壁の各図柄は、第２表示領域２０４に順番に表示されることができる。しかし、注意すべきなのは、前記スロットマシンはあくまで例示であり、本発明を限定するものではない。表示装置１０の種類は、当業者が実際の需要に応じて変更できるものである。
【００２８】
前記表示パネル２００は、例えば、液晶表示パネル、電界発光表示パネル、エレクトロウェッティング表示パネル、または電気泳動表示パネルであってもよい。表示パネル２００の第２表示領域２０４は、１つのみに限定されない。即ち、表示パネル２００は、複数の第２表示領域２０４を有してもよい。例えば、通常、スロットマシンでは、３つの第２表示領域２０４を有し、３つのリールのそれぞれは、３つの第２表示領域２０４によって露出されるが、本発明がこれに限定されない。
【００２９】
図３と図４を同時に参照する。図３は、図１の表示パネル２００を示す概略上視図であり、図４は、図３のＡ−Ａ線に沿う一実施形態を示す断面図である。なお、図３の表示パネル２００は、３つの領域に仕切られ、かつ表示パネル２００の内部素子を表示するように一部の素子については適宜図示を省略している。詳細には、領域I-Iにおいては、素子を省略せず、領域II-IIにおいては、対向基板２５０（図４に示す）を省略し、領域III-IIIにおいては、アレイ基板２１０のみを残している。表示パネル２００は、アレイ基板２１０と、対向基板２５０と、少なくとも１つの封止材２６０とを含んでいる。図３および図４に示すように、アレイ基板２１０は、第１貫通孔２１２を有するとともに、複数の画素セル２１４と、複数のデータ線２１６と、複数の走査線２１８とを含んでいる。走査線２１８は、画素セル２１４に電気的に接続しており、データ線２１６は、走査線２１８と交差するとともに、対応する画素セル２１４にも電気的に接続している。詳細には、図４に示すように、画素セル２１４（図３に示す）は、薄膜トランジスタ（Ｔｈｉｎ−Ｆｉｌｍ  Ｔｒａｎｓｉｓｔｏｒ：ＴＦＴ）（図示せず）と画素電極２３８とからなる。薄膜トランジスタでは、ゲートが走査線２１８に電気的に接続しており、ソースがデータ線２１６に電気的に接続しており、ゲートとソースとの間には、互いに絶縁するための誘電体層２３２が設けられている。また、薄膜トランジスタのドレインと画素電極２３８との間には、互いを隔てるように保護層２３４が設けられている。保護層２３４が接続孔（図示せず）を有することにより、画素電極２３８は、接続孔により薄膜トランジスタのドレインに電気的に接続することができる。
【００３０】
引き続き図４を参照する。対向基板２５０は、アレイ基板２１０に対向するように設置されるとともに第２貫通孔２５２を有している。封止材２６０は、アレイ基板２１０と対向基板２５０との間に介在するとともに第３貫通孔２６２を有している。第１貫通孔２１２と、第２貫通孔２５２と、第３貫通孔２６２とにより、貫通孔の構造である開口２０５が形成されている。開口２０５は、図１の第２表示領域２０４に対応しており、画素セル２１４（図３に示す）の所在する領域は、図１の第１表示領域２０２に対応している。注意すべきなのは、図４の第２貫通孔２５２のアレイ基板２１０に対する垂直投影が第１貫通孔２１２とほぼ重なっているが、本発明を限定するものではない。他の実施形態において、第２貫通孔２５２と第３貫通孔２６２のそれぞれのアレイ基板２１０に対する垂直投影は、第１貫通孔２１２と一部のみ重なってもよく、図１の表示部材１１０が開口２０５によって露出されることができるように、第１貫通孔２１２と、第２貫通孔２５２と、第３貫通孔２６２とにより開口２０５を形成することさえできれば、本発明の範囲内に含まれる。
【００３１】
引き続き図５Ａを参照する。図５Ａは、図３のアレイ基板２１０を示す上視図である。すべての画素セル２１４ｉと２１４ｊに画像信号を順調に伝送するように、アレイ基板２１０は、配線領域２２２と、ソース駆動素子２２６と、ゲート駆動素子２２８とをさらに有している。配線領域２２２は、第１貫通孔２１２と、第１貫通孔２１２に隣接するこれら画素セル２１４との間に位置する領域である。ソース駆動素子２２６とゲート駆動素子２２８のそれぞれは、表示領域２２４の各一方の側縁に位置しており、かつ、それぞれ、データ線２１６ｂと走査線２１８ｂに接続している。そうすることで、画像信号は、ソース駆動素子２２６とゲート駆動素子２２８から、それぞれ、ソース駆動素子２２６に接続しているデータ線２１６ｂと、ゲート駆動素子２２８に接続している走査線２１８ｂにより、各画素セル２１４ｉと２１４ｊに伝送される。一方、配線領域２２２は、表示領域２２４内に位置するとともに、第１貫通孔２１２のエッジを囲み、画素セル２１４ｉと２１４ｊは、配線領域２２２内に位置していない。
【００３２】
次に図５Ｂを参照する。図５Ｂは、図５Ａの領域Ｍを示す拡大概略図である。詳細には、配線領域２２２におけるデータ線２１６ａは、第１貫通孔２１２を迂回し、第１貫通孔２１２の対向する両側の画素セル２１４ｊにそれぞれ接続している。このため、第１貫通孔２１２の対向する両側に位置する画素セル２１４ｊは、配線領域２２２におけるデータ線２１６ａにより相互に接続していることにより、画像信号を受信することができる。一方、配線領域２２２における走査線２１８ａは、第１貫通孔２１２を迂回し、第１貫通孔２１２の対向する両側の画素セル２１４ｉにそれぞれ接続している。このため、第１貫通孔２１２の対向する両側に位置する画素セル２１４ｉは、配線領域２２２における走査線２１８ａにより相互に接続していることにより、画像信号を受信することができる。そうすることで、図４のような、開口２０５を有する表示パネル２００には、上述した配線方法によっても正常に表示することができる。
【００３３】
引き続き図５Ｂを参照する。前記配線領域２２２の存在により、アレイ基板２１０の表示領域２２４（図５Ａに示す）の開口率を低下させる可能性がある。このため、配線領域２２２におけるデータ線２１６ａと走査線２１８ａに対する配線方法を調整することで、表示領域２２４における配線領域２２２の面積をできる限りに減少させる。一つ以上の実施形態において、データ線２１６ａと走査線２１８ａとは、ほぼ集束するように第１貫通孔２１２を迂回してもよい。詳細には、走査線２１８ａは、それぞれ、一側の画素セル２１４ｉから配線領域２２２に入る。これら走査線２１８ａは、配線領域２２２において相互に接近し、集束するように第１貫通孔２１２のエッジを迂回した後、再び分散して他側に位置する画素セル２１４ｉにそれぞれ接続している。一方、データ線２１６ａは、それぞれ、一側の画素セル２１４ｊから配線領域２２２に入る。これらデータ線２１６ａは、配線領域２２２において相互に接近し、集束するように第１貫通孔２１２のエッジを迂回した後、再び分散して他側に位置する画素セル２１４ｊにそれぞれ接続している。上述した、集束するような配線方法により、配線領域２２２の幅を有効に低減させることができる。
【００３４】
次に図６を参照する。図６は、図５Ａの領域Ｐを示す拡大概略図である。配線領域２２２の幅をより一層低減させるため、配線領域２２２に位置するデータ線２１６ａおよび走査線２１８ａの幅は、それぞれ、配線領域２２２内に位置していないデータ線２１６ｂおよび走査線２１８ｂの幅より狭くてもよい。詳細には、配線領域２２２内に位置していない走査線２１８ｂは、幅Ｗ１を有し、配線領域２２２内に位置する走査線２１８ａは、幅Ｗ２を有すると、Ｗ１＞Ｗ２であるように設計されてもよい。同様に、配線領域２２２内に位置していないデータ線２１６ｂは、幅Ｗ３を有し、配線領域２２２内に位置するデータ線２１６ａは、幅Ｗ４を有した場合、Ｗ３＞Ｗ４であるように設計されてもよい。このため、配線領域２２２内に位置しているデータ線２１６ａおよび走査線２１８ａは、集束するように配線されるとともにそれらの幅も低減させ、配線領域２２２の幅をより一層低減させる効果を有する。
【００３５】
一方、図５Ａのソース駆動素子２２６は、ソース駆動チップであってもよく、ゲート駆動素子２２８は、表示パネルに内蔵されたゲートドライバオンアレイ技術（ｇａｔｅ  ｄｒｉｖｅｒ−ｏｎ−ａｒｒａｙ：ＧＯＡ）を応用したゲート駆動回路またはゲート駆動チップであってもよいが、これらに限定されない。
【００３６】
次に図４に戻る。表示パネル２００（図３に示す）は、シーラント２８０と表示媒体２９０とをさらに含んでいる。表示媒体２９０により、表示パネル２００に表示される画像光の物理性を変化させ、シーラント２８０により、表示媒体２９０をアレイ基板２１０と対向基板２５０との間に封止している。詳細には、シーラント２８０は、アレイ基板２１０と対向基板２５０との間に介在しており、かつ封止領域２８２を定義している。封止領域２８２のアレイ基板２１０に対する垂直投影は、表示領域２２４とほぼ重なっている。表示媒体２９０は、アレイ基板２１０と対向基板２５０との間に介在しており、かつ封止領域２８２内に位置している。一方、封止材２６０により、開口２０５から表示媒体２９０の漏れを防止することができる。封止材２６０のアレイ基板２１０に対する垂直投影は、配線領域２２２と少なくとも一部重なること、または完全重なることを選択可能となっている。そうすることで、表示パネル２００の開口率に影響することがない。表示媒体２９０は、表示パネル２００の種類によって異なり、例えば、液晶表示パネルの表示媒体２９０が液晶分子で、エレクトロウェッティング表示パネルの表示媒体２９０が極性または非極性の液体で、電気泳動表示パネルの表示媒体２９０がマイクロカプセルであるようにする。
【００３７】
一方、対向基板２５０は、少なくとも１層の遮光層２５６をさらに含んでもよい。配線領域２２２の対向基板２５０に対する垂直投影は、遮光層２５６とほぼ重なっており、封止材２６０の対向基板２５０に対する垂直投影も遮光層２５６と少なくとも一部重なっている。遮光層２５６により、配線領域２２２または封止材２６０から表示パネル２００の光の一部の漏れを防止し、表示パネル２００の品質を向上させることができる。
【００３８】
一つ以上の実施形態において、対向基板２５０は、複数のカラーフィルタ層２５４を含んでいる。カラーフィルタ層２５４のアレイ基板２１０に対する垂直投影は、それぞれ、画素セル（アレイ基板２１０の画素電極２３８が配列された領域とほぼ同じ領域である）とほぼ重なっていることで、表示パネル２００（図３に示す）のアレイ基板２１０を透過した光を特定色の光にフィルターする。しかし、上述した配置は、本発明を限定するものではない。
【００３９】
次に図７を参照する。図７は、図３のＡ−Ａ線に沿う他の実施形態を示す断面図である。本実施形態において、アレイ基板２１０は、カラーフィルタ層２４２をさらに含んでいる。カラーフィルタ層２４２は、それぞれ画素セル（アレイ基板２１０の画素電極２３８が配列された領域とほぼ同じ領域である）に積層されている。このような積層技術は、カラーフィルターオンアレイ（Ｃｏｌｏｒ  Ｆｉｌｔｅｒ  ｏｎ  Ａｒｒａｙ：ＣＯＡ）技術である。カラーフィルターオンアレイ技術により、画素セル２１４（図３に示す）の開口率を高めることができ、さらに、表示パネル２００（図３に示す）の輝度を有効に上げることができる。詳細には、製造者は、データ線２１６と走査線２１８とを先に製造して画素セル２１４を完成してもよい。データ線２１６と走査線２１８との間が、誘電体層２３２で分離されて絶縁している。画素セル２１４は、薄膜トランジスタ（Ｔｈｉｎ−Ｆｉｌｍ  Ｔｒａｎｓｉｓｔｏｒ：ＴＦＴ）（図示せず）と画素電極２３８とからなる。薄膜トランジスタでは、ゲートが走査線２１８に電気的に接続し、ソースがデータ線２１６に電気的に接続し、ゲートとソースとの間には、互いに絶縁するための誘電体層２３２が設けられている。また、薄膜トランジスタのドレインと画素電極２３８との間には、互いに隔てるように保護層２３４が設けられている。保護層２３４は、接続孔（図示せず）を有していることにより、画素電極２３８は、接続孔により薄膜トランジスタのドレインに電気的に接続することができる。前記各素子を完成した後、製作者は、引き続き、カラーフィルタ層２４２を各画素電極２３８上にそれぞれ製造してもよい。カラーフィルタ層２４２と画素電極２３８との間には、アレイ基板２１０における回路を保護するように保護層２３６を増設してもよい。
【００４０】
次に図３に戻る。第１貫通孔２１２、第２貫通孔２５２、および第３貫通孔２６２の数は、いずれも複数であってもよく、例えば、本実施形態においては、それぞれ３つである。本実施形態において、第１貫通孔２１２は、方形であってもよく、かつこの方形の辺長Ｔ１が８０ｍｍで、配線領域２２２の幅Ｔ２が２０ｍｍとすることも可能である。第１貫通孔２１２と配線領域２２２とにより、辺長Ｔ３が１２０ｍｍの方形が形成される。第２貫通孔２５２は、方形であってもよく、かつこの方形の辺長Ｔ４が８０ｍｍで、遮光層２５６の幅Ｔ５が２０ｍｍである。第２貫通孔２５２と遮光層２５６とにより、辺長Ｔ６が１２０ｍｍの方形が形成される。第３貫通孔２６２は、方形であってもよく、かつその方形の辺長Ｔ７が１００ｍｍで、封止材２６０の幅Ｔ８が１ｍｍである。第３貫通孔２６２と封止材２６０とにより、辺長Ｔ９が１０２ｍｍの方形が形成される。注意すべきなのは、前記方形、辺長および幅は、単に例示したものにすぎず、本発明を限定するものではない。当業者は、実際の需要に応じて、各貫通孔、配線領域、遮光層および封止材の形状、辺長および幅を変更することができる。
【００４１】
注意すべきなのは、以下の説明において、実施形態において変更されるところについて詳しく説明するが、上述した実施形態で説明したアレイ基板２１０の詳細を省略する。一つ以上の実施形態において、アレイ基板２１０のデータ線２１６および走査線２１８は、図５Ａに示す配線方法に限定されないものである。次に、図８を参照する。図８は、本発明の別の実施形態のアレイ基板２１０を示す上視図である。本実施形態において、第１貫通孔２１２の数は１つであるが、複数であってもよい。アレイ基板２１０は、一対のソース駆動素子２２６ｔ、２２６ｄと、一対のゲート駆動素子２２８ｌ、２２８ｒとを有している。該一対のソース駆動素子２２６ｔと２２６ｄとは、それぞれ、表示領域２２４の対向する両側に位置している。該一対のソース駆動素子２２６ｔと２２６ｄとは、それぞれ、データ線２１６ｔの一部とデータ線２１６ｄの一部とに電気的に接続している。該一対のソース駆動素子２２６ｔと２２６ｄとにそれぞれ電気的に接続しているデータ線２１６ｔの一部とデータ線２１６ｄの一部とは、交互にアレイ基板２１０上に配列されている。換言すれば、いずれの隣接しているデータ線２１６ｔと２１６ｄとは、それぞれ、ソース駆動素子２２６ｔと２２６ｄとに接続している。一方、該一対のゲート駆動素子２２８ｌと２２８ｒとは、それぞれ、表示領域２２４の他の対向する両側に位置している。該一対のゲート駆動素子２２８ｌと２２８ｒとは、それぞれ、走査線２１８ｌの一部と走査線２１８ｒの一部とに電気的に接続している。該一対のゲート駆動素子２２８ｌと２２８ｒとにそれぞれ電気的に接続している走査線２１８ｌの一部と走査線２１８ｒの一部とは、交互にアレイ基板２１０上に配列されている。換言すれば、いずれの隣接している走査線２１８ｒと２１８ｌとは、それぞれ、ゲート駆動素子２２８ｌと２２８ｒとに接続している。このため、配線領域２２２内のデータ線２１６ｔと２１６ｄとの一部は、それぞれ対向する両側に位置する該一対のソース駆動素子２２６ｔと２２６ｄとに接続しており、配線領域２２２内の走査線２１８ｌと２１８ｒとの一部は、それぞれ、対向する両側に位置する該一対のゲート駆動素子２２８ｌと２２８ｒとに接続しているが、配線領域２２２内のデータ線２１６ｔと２１６ｄとは、第１貫通孔２１２の両側の画素セル２１４に、配線領域２２２内の走査線２１８ｌと２１８ｒとは、第１貫通孔２１２の両側の画素セル２１４に、それぞれ接続している。さらに、配線領域２２２内のデータ線２１６ｔ、２１６ｄと走査線２１８ｌ、２１８ｒとは、それぞれ集束するように第１貫通孔２１２を迂回している。本実施形態のアレイ基板２１０については、その他の詳細が図５Ａのアレイ基板２１０と同様であるため、ここで説明を省略する。
【００４２】
次に図９を参照する。図９は、本発明の他の実施形態のアレイ基板２１０を示す上視図である。本実施形態において、第１貫通孔２１２の数は１つであるが、複数であってもよい。アレイ基板２１０は、一対のソース駆動素子２２６ｔ、２２６ｄと、一対のゲート駆動素子２２８ｌ、２２８ｒとを有している。該一対のソース駆動素子２２６ｔと２２６ｄとは、それぞれ、アレイ基板２１０の表示領域２２４の対向する両側に位置している。データ線２１６ｔと２１６ｄとは、第１貫通孔２１２を横切らずまたは迂回せず、それぞれ、該一対のソース駆動素子２２６ｔと２２６ｄとに電気的に接続している。また、該一対のゲート駆動素子２２８ｌと２２８ｒとは、それぞれ、アレイ基板２１０の表示領域２２４の他の対向する両側に位置している。走査線２１８ｌと２１８ｒとは、第１貫通孔２１２を横切らずまたは迂回せず、それぞれ、該一対のゲート駆動素子２２８ｌと２２８ｒとに電気的に接続している。詳細には、本実施形態において、第１貫通孔２１２に隣接する各画素セル２１４のデータ線２１６ｔ、２１６ｄと走査線２１８ｌ、２１８ｒとは、それぞれ、外側に向けて各ソース駆動素子２２６ｔ、２２６ｄとゲート駆動素子２２８ｌ、２２８ｒとまで延びている。そうすることで、配線領域２２２（即ち、図４の封止材２６０のアレイ基板２１０に対する垂直投影領域）には、配線する必要がなくなり、その幅をさらに縮小することができる。本実施形態のアレイ基板２１０については、その他の詳細が図５Ａのアレイ基板２１０と同様であるため、ここで説明を省略する。
【００４３】
次に図１０を参照する。図１０は、本発明のさらに他の実施形態のアレイ基板２１０を示す上視図である。本実施形態において、第１貫通孔２１２の数は１つであるが、複数であってもよく、かつ第１貫通孔２１２の一側は、画素セル２１４に隣接していない。本実施例において、第１貫通孔２１２の下側は、画素セル２１４に隣接していないが、これに限定されない。アレイ基板２１０は、ソース駆動素子２２６と、ゲート駆動素子２２８とを有している。第１貫通孔２１２は、表示領域２２４の一辺に隣接しており、即ち、第１貫通孔２１２の表示領域２２４に隣接する一辺には、画素セル２１４が存在していない。そうすることで、配線領域２２２に、対応する配線（例えば、本実施形態におけるデータ線２１６）を増設する必要がない。詳細には、本実施形態において、第１貫通孔２１２の、いずれのデータ線２１６と平行にする両側のいずれも画素セル２１４に隣接している。このため、配線領域２２２には、この両側の画素セル２１４にそれぞれ接続するための走査線２１８が必要となる。しかし、第１貫通孔２１２の３つの側は、画素セル２１４に隣接しており、残りの、走査線２１８と平行にする一側は、画素セル２１４に隣接していない。このため。データ線２１６は、配線領域２２２を通過せずソース駆動素子２２６に直接接続することができる。同様に、第１貫通孔２１２の３つの側は、画素セル２１４に隣接しており、残りの、データ線２１６と平行にする一側は、画素セル２１４に隣接していない場合、配線領域２２２には、走査線２１８の配線が必要としない。本実施形態のアレイ基板２１０については、その他の詳細が図５Ａのアレイ基板２１０と同様であるため、ここで説明を省略する。
【００４４】
注意すべきなのは、図５Ａ、図８および図９のデータ線２１６ａ、２１６ｂ、２１６ｔ、２１６ｄおよび走査線２１８ａ、２１８ｂ、２１８ｌ、２１８ｒは、同じ配線方法を有しているが、実際に応用する際に、データ線２１６および走査線２１８は、異なる配線方法で行ってもよい。アレイ基板２１０におけるすべてのデータ線２１６とすべての走査線２１８とは、それぞれ、ソース駆動素子２２６とゲート駆動素子２２８とに接続することができさえすれば、本発明の範囲に含まれる。
【００４５】
本発明について上述した実施形態を参照して説明したが、これは本発明を限定するものではく、当業者であれば、本発明の精神及び範囲を逸脱しない限り、各種の変動や潤色を加えることができる。従って、本発明の保護を求める範囲は、特許請求の範囲を基準とする。
【符号の説明】
【００４６】
１０  表示装置
１００  表示機構
１１０  表示部材
１２０  回動機構
２００  表示パネル
２０２  第１表示領域
２０４  第２表示領域
２０５  開口
２１０  アレイ基板
２１２  第１貫通孔
２１４、２１４ｉ、２１４ｊ  画素セル
２１６、２１６ａ、２１６ｂ、２１６ｔ、２１６ｄ  データ線
２１８、２１８ａ、２１８ｂ、２１８ｌ、２１８ｒ  走査線
２２２  配線領域
２２４  表示領域
２２６、２２６ｔ、２２６ｄ  ソース駆動素子
２２８、２２８ｌ、２２８ｒ  ゲート駆動素子
２３２  誘電体層
２３４、２３６  保護層
２３８  画素電極
２４２、２５４  カラーフィルタ層
２５０  対向基板
２５２  第２貫通孔
２５６  遮光層
２６０  封止材
２６２  第３貫通孔
２８０  シーラント
２８２  封止領域
２９０  表示媒体
Ａ−Ａ  ハッチ線
I―I、II―II、III―III、Ｐ、Ｍ  領域
Ｔ１、Ｔ３、Ｔ４、Ｔ６、Ｔ７、Ｔ９：辺長
Ｗ１〜Ｗ４、Ｔ２、Ｔ５、Ｔ８：幅
【図１】
2014134766.tif 000003
【図２】
2014134766.tif 000004
【図３】
2014134766.tif 000005
【図４】
2014134766.tif 000006
【図５Ａ】
2014134766.tif 000007
【図５Ｂ】
2014134766.tif 000008
【図６】
2014134766.tif 000009
【図７】
2014134766.tif 000010
【図８】
2014134766.tif 000011
【図９】
2014134766.tif 000012
【図１０】
2014134766.tif 000013